(57)【要約】【課題】お手入れ性がよく且つデザイン性が良好な操作部を備える加熱調理器を提供する。【解決手段】加熱調理器は、調理器本体と操作部を備える。操作部は、前面に開口を有するフレーム４と、この開口を塞ぐように装着される内蓋６と、内蓋６を覆うように装着される外蓋７を備える。内蓋６は、内蓋本体６１と、内蓋本体６１から後方に突出し、且つ貫通孔６５が設けられた内側連結片６２を備える。外蓋７は、外蓋本体７１と、外蓋本体７１から後方に突出した外側連結片７２と、貫通孔６５に挿入されるように外側連結片７２に設けられた突起７５を備える。【選択図】図７
2018185113.tif 000002
【特許請求の範囲】
【請求項１】
加熱部が設けられた調理器本体と、
前記加熱部を操作するための操作パネルが設けられた操作部と、
前記操作部を、前記操作パネルが隠れるように前記調理器本体に収納された第一位置と、前記操作パネルが露出するように前記調理器本体から前方に迫り出した第二位置との間で、移動自在に支持する支持構造と、を備え、
前記操作部は、
前面に開口を有し、且つ上面に前記操作パネルが設けられたフレームと、前記開口を塞ぐように、前記フレームに対して装着される内蓋と、前記内蓋を覆うように、前記内蓋に対して装着される外蓋と、を備え、
前記内蓋は、
前記開口を塞ぐように構成された内蓋本体と、前記内蓋本体から後方に突出した内側連結片と、を備え、
前記外蓋は、
前記内蓋を覆うように構成された外蓋本体と、前記外蓋本体から後方に突出し、前記内側連結片に連結されるように構成された外側連結片と、を備える
ことを特徴とする加熱調理器。
【請求項２】
前記内側連結片には、貫通孔が設けられ、
前記外側連結片には、前記貫通孔に引っ掛かる突起が設けられている
ことを特徴とする請求項１に記載の加熱調理器。
【請求項３】
前記内蓋は、前記内側連結片を、左右に距離をあけて一対備え、
前記外蓋は、弾性を有する前記外側連結片を、左右に距離をあけて一対備え、
左右両側の前記外側連結片から、互いに近づく方向にむけて前記突起が突出している
ことを特徴とする請求項２に記載の加熱調理器。
【請求項４】
左右一対の前記内側連結片から、互いに離れる方向にむけて周壁が突出し、
前記周壁は、前記貫通孔の開口を囲んで位置し、且つ、前記周壁のうち少なくとも前側部分は、前記外側連結片を前方から挿入できるように切り欠かれている
ことを特徴とする請求項３に記載の加熱調理器。
【発明の詳細な説明】
【技術分野】
【０００１】
本発明は、操作パネルを備えた加熱調理器に関する。
【背景技術】
【０００２】
調理器本体と、操作パネルが設けられた操作部とを備える加熱調理器が、従来知られている。
【０００３】
この種の加熱調理器においては、操作部を前後に回転させることで、操作部の位置が、操作パネルが調理器本体に収納される位置と、操作パネルが調理器本体から前方に迫り出す位置との間で、切り換えられる。
【０００４】
操作部は、操作パネルが設けられ且つ開口を有するフレームと、この開口を塞ぐようにフレームに装着される内蓋と、内蓋を覆うようにフレームに装着される外蓋とを備える。
【０００５】
操作部が備えるフレームの側面には、貫通孔が開口している（特許文献１の図４等参照）。この貫通孔に対して、外蓋が有する突起が嵌り込むことで、フレームに対して外蓋が装着される。
【先行技術文献】
【特許文献】
【０００６】
【特許文献１】特開２０１６−１７３２３２号公報
【発明の概要】
【発明が解決しようとする課題】
【０００７】
上記の加熱調理器においては、操作部が備えるフレームの側面に、外蓋を装着するための貫通孔が開口しているので、操作部の清掃のしやすさ（お手入れ性）に問題があった。加えて、操作パネルを前方に迫り出させたときに貫通孔の開口が露出するので、デザイン面で問題があった。
【０００８】
本発明は、お手入れ性がよく且つデザイン性が良好な操作部を備える加熱調理器を提供することを、目的とする。
【課題を解決するための手段】
【０００９】
本発明の一様態に係る加熱調理器は、加熱部が設けられた調理器本体と、前記加熱部を操作するための操作パネルが設けられた操作部と、前記操作部を、前記操作パネルが隠れるように前記調理器本体に収納された第一位置と、前記操作パネルが露出するように前記調理器本体から前方に迫り出した第二位置との間で、移動自在に支持する支持構造と、を備える。
【００１０】
前記操作部は、前面に開口を有し、且つ上面に前記操作パネルが設けられたフレームと、前記開口を塞ぐように、前記フレームに対して装着される内蓋と、前記内蓋を覆うように、前記内蓋に対して装着される外蓋と、を備える。
【００１１】
前記内蓋は、前記開口を塞ぐように構成された内蓋本体と、前記内蓋本体から後方に突出した内側連結片と、を備える。
【００１２】
前記外蓋は、前記内蓋を覆うように構成された外蓋本体と、前記外蓋本体から後方に突出し、前記内側連結片に連結されるように構成された外側連結片と、を備える。
【発明の効果】
【００１３】
本発明は、お手入れ性がよく且つデザイン性が良好な操作部を備える加熱調理器を提供することができるという効果を奏する。
【図面の簡単な説明】
【００１４】
【図１】図１は、一実施形態の加熱調理器を示す正面図である。
【図２】図２は、同上の加熱調理器が備える操作ユニットを示す斜視図である。
【図３】図３は、同上の操作ユニットを別角度から視た斜視図である。
【図４】図４は、同上の操作ユニットにおいて外蓋を開いた状態を示す斜視図である。
【図５】図５は、同上の操作ユニットにおいて外蓋と内蓋を開いた状態を示す斜視図である。
【図６】図６は、同上の操作ユニットにおいて操作パネルを前方に迫り出させた状態を示す斜視図である。
【図７】図７は、同上の操作ユニットが備える外蓋と内蓋とフレームと支持構造を示す斜視図である。
【図８】図８は、同上の外蓋と内蓋が連結した状態を示す背面図である。
【図９】図９は、図８のＡ−Ａ線断面図である。
【図１０】図１０は、同上の内蓋を示す正面図である。
【図１１】図１１は、変形例１の加熱調理器が備える外蓋と内蓋の連結状態を示す断面図である。
【発明を実施するための形態】
【００１５】
本発明の加熱調理器について、一実施形態に基づいて説明する。
【００１６】
（全体）
図１には、一実施形態の加熱調理器の全体を示している。一実施形態の加熱調理器は、ビルトイン式のグリル付きガスこんろであり、図示略のキッチンキャビネットに組み込まれる調理器本体１と、調理器本体１に設けられた加熱部２と、調理器本体１に設けられた複数（二つ）の操作ユニット３を備える。
【００１７】
加熱部２は、複数（三つ）のこんろバーナ２１と、グリル部２３を含む。三つのこんろバーナ２１は、調理器本体１のトッププレート１１に、互いに距離をあけて設置されている。グリル部２３は、調理器本体１の前面に開口するように形成されたグリル庫２３１と、調理器本体１の前面に設置され、グリル庫２３１を開閉するように構成されたグリル扉２３５を備える。
【００１８】
本文中では、調理器本体１に対して、これを利用するユーザが位置する方向を前方向、これの逆方向を後方向と定義する。左右方向においては、調理器本体１を利用するときのユーザの視点を基準として左方向と右方向を定義する。
【００１９】
操作ユニット３は、調理器本体１の前面において、グリル扉２３５を挟んだ左右の両側に設置されている。左側の操作ユニット３と、右側の操作ユニット３は、基本的に共通の構造を有する。
【００２０】
つまり、左右の操作ユニット３において、下側の半部には、操作パネル３００（図３等参照）を含む操作部３０が設けられ、上側の半部には、火力調整用操作部３１と点消火用操作部３２が設けられている。
【００２１】
操作部３０は、調理器本体１の前部において、前後に回転自在に支持されている。操作部３０がその回転範囲内のうち最も後方の第一位置Ｐ１（図２、図３等参照）にあるときには、操作パネル３００は調理器本体１に隠れるように収納される。操作部３０がその回転範囲のうち最も前方の第二位置Ｐ２（図６等参照）に位置するときには、操作パネル３００はユーザ側に露出するように、調理器本体１から前方に迫り出して位置する。操作部３０は、調理器本体１の前部に組み込まれた矩形枠状の支持構造５を介して、調理器本体１に対して前後に回転自在に支持されている。
【００２２】
操作パネル３００は、加熱部２での加熱調理の設定を行うことのできる各種のボタンを備える。加熱調理の設定は、たとえば、各こんろバーナ２１の加熱モード（おかゆモード、ご飯モード、湯沸しモード等）の設定、グリル庫２３１に備えられる図示略のグリルバーナの加熱モード（姿焼モード、切身モード、干物モード等）の設定である。
【００２３】
火力調整用操作部３１は、少なくとも一つの操作レバー３１５を備える。左側の操作ユニット３の火力調整用操作部３１は、二つの操作レバー３１５を備える。二つの操作レバー３１５のうち一方は、左側のこんろバーナ２１の火力調整用であり、他方は、後側のこんろバーナ２１の火力調整用である。右側の操作ユニット３の火力調整用操作部３１は、操作レバー３１５を一つ備える。この操作レバー３１５は、右側のこんろバーナ２１の火力調整用である。
【００２４】
点消火用操作部３２は、押し操作式のスイッチ３２５を二つ備える。左側の操作ユニット３の点消火用操作部３２が備える二つのスイッチ３２５のうち一方は、左側のこんろバーナ２１の点消火用であり、他方は、後側のこんろバーナ２１の点消火用である。右側の操作ユニット３の点消火用操作部３２が備える二つのスイッチ３２５のうち一方は、右側のこんろバーナ２１の点消火用であり、他方は、グリルバーナの点消火用である。
【００２５】
（操作部）
次に、操作部３０の具体的な構造について、説明する。
【００２６】
既述したように、左右の操作ユニット３は基本的に共通の構造を有するので、以下においては、左側の操作ユニット３に基づいて、操作部３０の具体的な構造を説明する。
【００２７】
図２は、操作ユニット３を斜め前方から視た斜視図であり、図３は、この操作ユニット３を斜め後方から視た斜視図である。図２と図３において、操作部３０は、操作パネル３００が後方に収納される第一位置Ｐ１にある。
【００２８】
操作部３０は、前面に開口４０（図５参照）を有するフレーム４と、開口４０を塞ぐようにフレーム４に装着される内蓋６と、内蓋６の前方を覆うように内蓋６に装着される外蓋７を備える。操作パネル３００は、フレーム４の上面に設けられる。なお、開口４０は内蓋６によって完全に塞がれるのではなく、内蓋６が装着された状態においても、後述の外側連結片７２を挿入可能なスペースは確保される。
【００２９】
フレーム４と内蓋６と外蓋７は、それぞれ支持構造５に対して回転自在に連結される（図７等参照）。フレーム４に対して内蓋６と外蓋７が装着された状態で、フレーム４と内蓋６と外蓋７は、支持構造５に対して一体に回転移動する。
【００３０】
（フレーム）
操作部３０の主体を構成するフレーム４は、操作パネル３００が構成される平板状の頂板４１と、頂板４１の左右の両端縁部から下方に延長される一対の側板４２を備える。一対の側板４２の下端部からは、互いに離れる方向に連結軸４３（図７参照）が突出している。
【００３１】
一対の連結軸４３がそれぞれ支持構造５の下部に回転自在に嵌ることで（図６参照）、フレーム４は、左右方向に伸びる仮想的な回転軸まわりに、回転自在に支持される。フレーム４の回転範囲は、フレーム４の一部が支持構造５に当たることで、所定の範囲内で規制される。
【００３２】
（内蓋）
内蓋６は、矩形板状の内蓋本体６１と、内蓋本体６１の左右の両端縁部から後方に突出した一対の内側連結片６２と、内蓋本体６１の上端縁部に形成された複数の引掛け部６３と、内蓋本体６１の下端縁部に形成された複数の連結部６４を備える。
【００３３】
一対の内側連結片６２は、左右に距離をあけて位置する。一対の内側連結片６２には、それぞれ左右方向に貫通するように貫通孔６５が形成されている。
【００３４】
一対の内側連結片６２のそれぞれの周縁部からは、左右方向において互いに離れる側（外側方）にむけて、周壁６７が突出している。各内側連結片６２の外側方を向く外側面６２１には、貫通孔６５の開口が位置し、この開口を囲むように周壁６７が位置する。
【００３５】
周壁６７は、貫通孔６５の開口の全周を囲んで位置するのではなく、貫通孔６５の開口の前側には、周壁６７が設けられていない。周壁６７は、貫通孔６５の開口の上方、後方および下方をコ字状に囲み、貫通孔６５の開口の前方においては周壁６７が切り欠かれた構造となっている。この切り欠き部分は、後述の外側連結片７２が挿入される部分である。
【００３６】
内蓋本体６１には、電池ケース８を出し入れするための開口６１０が設けられている。開口６１０は、内蓋本体６１の下端縁から上方に切り欠かれた部分で構成されている。
【００３７】
複数の引掛け部６３は、左右に距離をあけて設けられた二つの引掛け部６３から成る。
【００３８】
（外蓋）
外蓋７は、内蓋本体６１よりも一回り大きな矩形板状の外蓋本体７１と、外蓋本体７１から後方に突出した一対の外側連結片７２と、外蓋本体７１の下端縁部に形成された複数の連結部７４を備える。
【００３９】
一対の外側連結片７２は、外蓋本体７１を内蓋６に連結させるための部分であり、それぞれが弾性を有する。一対の外側連結片７２は、左右に距離をあけて位置する。
【００４０】
一対の外側連結片７２からは、左右方向において互いに近づく側（内側方）にむけて、円柱の突起７５が突出している。
【００４１】
複数の連結部７４は、左右に距離をあけて設けられた二つの連結部７４から成る。
【００４２】
（支持構造）
支持構造５は、調理器本体１の前部に組み込まれる矩形枠状の本体部５１と、電池ケース８を前後にスライド自在に支持するカバー５３を、一体に備える。
【００４３】
内蓋６が備える二つの連結部６４と、外蓋７が備える二つの連結部７４と、フレーム４が備える一対の連結軸４３は、いずれも本体部５１に対して連結される。
【００４４】
本体部５１に内蓋６、外蓋７およびフレーム４が連結された状態において、内蓋６が備える二つの連結部６４と、外蓋７が備える二つの連結部７４と、フレーム４が備える一対の連結軸４３は、左右方向に一直線状に並んで位置する。
【００４５】
以上、説明したように、一実施形態の加熱調理器は、調理器本体１と、操作パネル３００が設けられた操作部３０を備える。操作部３０は、調理器本体１に組み込まれた枠状の支持構造５によって、調理器本体１に回転自在に支持されている。操作部３０の回転によって、操作パネル３００は、調理器本体１に隠れて操作不能な位置と、調理器本体１から前方に迫り出して操作可能となる位置との間で、自在に切り換わる。
【００４６】
操作部３０の主体を構成するフレーム４は、その前面に開口４０を有しており、開口４０は内蓋６によって開閉自在に塞がれている。さらに内蓋６には外蓋７が着脱自在に装着されており、外蓋７の装着によって内蓋６が隠される。
【００４７】
上述したように、内蓋６は、後方に突出した内側連結片６２を左右に一対備え、外蓋７は、後方に突出した外側連結片７２を左右に一対備え、左側の内側連結片６２の貫通孔６５に対して、左側の外側連結片７２の突起７５が嵌り、右側の内側連結片６２の貫通孔６５に対して、右側の外側連結片７２の突起７５が嵌ることで、内蓋６と外蓋７が着脱自在に連結される。
【００４８】
一実施形態の加熱調理器においては、外蓋７を装着するための孔が、操作部３０の側面（フレーム４の側面）に開口しないので、操作部３０の側面を平坦に形成することができる。そのため、操作部３０の側面を清掃しやすく、お手入れ性が高められる。加えて、操作部３０のデザイン性も高められる。
【００４９】
電池の交換を行うときは、図４に示すように、操作部３０を第一位置Ｐ１にセットし、外蓋７を内蓋６から外して前方に倒し、内蓋本体６１を露出させる。次いで、内蓋本体６１の開口６１０を通じて電池ケース８を引き出し、電池ケース８内の電池を交換した後は、開口６１０を通じて電池ケース８を戻せばよい。
【００５０】
フレーム４内に収容されている機器類のメンテナンスを行うときは、外蓋７を内蓋６から外した後に、図５に示すように、内蓋６をフレーム４から外して前方に倒し、フレーム４の開口４０を通じて作業を行えばよい。
【００５１】
作業終了後は、内蓋６が備える各引掛け部６３を、フレーム４の頂板４１の前端縁部に引っ掛け、フレーム４の開口４０を内蓋６で塞ぐ。その後に、外蓋７が備える各外側連結片７２を、対応する内側連結片６２の外側面６２１に沿って後方に挿入し、各外側連結片７２から内側方に突出する突起７５を、対応する内側連結片６２の貫通孔６５に嵌め込んで引っ掛ける。これにより、外蓋７が、内蓋６を覆った状態で装着される。
【００５２】
ここで、内蓋本体６１の左右の側端縁には、外側連結片７２の挿入を案内するためのガイド面６６が設けられている（図９、図１０等参照）。ガイド面６６は、内側連結片６２の外側面６２１の前側に位置し、外側面６２１に対して滑らかにつながるように、凸曲面状に形成されている。
【００５３】
外側連結片７２を、内側連結片６２の外側面６２１に沿って後方に挿入する際には、外側連結片７２の突起７５をガイド面６６に当て、そのまま外側連結片７２を外側方に撓ませながら、後方に挿入すればよい。
【００５４】
加えて、各内側連結片６２の周縁部からは、外側方に向けて周壁６７が突出しているので、周壁６７の内面が、外側連結片７２の挿入を案内するためのガイド面として機能する。
【００５５】
周壁６７は、フレーム４内への異物の侵入を防止するための隔壁としても機能する。フレーム４に内蓋６が装着された状態において、内側連結片６２の外側面６２１と、これに隣接するフレーム４の側板４２との間には、外側連結片７２を挿入可能なスペースが形成される。このスペースは、外蓋７を外した状態で前方に開放されるが、このスペースを通じてフレーム４内に異物が侵入することは、周壁６７によって抑えられる。
【００５６】
（変形例１）
変形例１の加熱調理器について、図１１に基づいて説明する。以下の説明において、既述した構成と同様の構成については、同一符号を付して詳しい説明を省略する。
【００５７】
変形例１の加熱調理器において、外蓋７が各外側連結片７２は、対応する内側連結片６２の外側面６２１に沿って後方に挿入されるのではなく、対応する内側連結片６２の内側面６２３に沿って、後方に挿入される。
【００５８】
一対の外側連結片７２からは突起７５が、左右方向において互いに離れる側（外側方）にむけて突出している。
【００５９】
内蓋６が備える内蓋本体６１の左右方向の端部には、それぞれ挿入孔６１３が前後に貫通形成されている。挿入孔６１３は、対応する外側連結片７２を後方に向けて挿入するための孔である。
【００６０】
外蓋７を内蓋６に取り付ける際には、外蓋７が備える各外側連結片７２を、対応する挿入孔６１３を通じて、内側連結片６２の内側面６２３に沿って後方に挿入する。これにより、各外側連結片７２から外側方に突出する突起７５が、対応する内側連結片６２の貫通孔６５に嵌め込まれて引っ掛かる。
【００６１】
変形例１の加熱調理器においても、外蓋７を装着するための孔が、操作部３０の側面に開口しないので、操作部３０の側面を平坦に形成することができる。そのため、操作部３０のお手入れ性が高められ、デザイン性も高められる。
【００６２】
（効果）
一実施形態に基づいて説明したように、本発明の加熱調理器は、調理器本体（１）と操作部（３０）と支持構造（５）を備える。
【００６３】
調理器本体（１）は、加熱部（２）を備える。操作部（３０）には、加熱部（２）を操作するための操作パネル（３００）が設けられている。支持構造（５）は、操作部（３０）を、操作パネル（３００）が隠れるように調理器本体（１）に収納された第一位置（Ｐ１）と、操作パネル（３００）が露出するように調理器本体（１）から前方に迫り出した第二位置（Ｐ２）との間で、移動自在に支持する。
【００６４】
操作部（３０）は、前面に開口（４０）を有し且つ上面に操作パネル（３００）が設けられたフレーム（４）と、開口（４０）を塞ぐようにフレーム（４）に対して装着される内蓋（６）と、内蓋（６）を覆うように内蓋（６）に対して装着される外蓋（７）を備える。
【００６５】
内蓋（６）は、開口（４０）を塞ぐように構成された内蓋本体（６１）と、内蓋本体（６１）から後方に突出した内側連結片（６２）と、を備える。
【００６６】
外蓋（７）は、内蓋（６）を覆うように構成された外蓋本体（７１）と、外蓋本体（７１）から後方に突出し、内側連結片（６２）に連結されるように構成された外側連結片（７２）と、を備える。
【００６７】
本発明の加熱調理器では、外蓋（７）を装着するための構造が、フレーム（４）ではなく、内蓋（６）の内側連結片（６２）に設けられているので、操作部（３０）の主体を構成するフレーム（４）の側面を、平坦に形成することが可能となる。そのため、本発明の加熱調理器においては、操作部（３０）のお手入れ性が良好であり、また、操作部（３０）のデザイン性が良好である。
【００６８】
また、本発明の加熱調理器において、内側連結片（６２）には貫通孔（６５）が設けられ、外側連結片（７２）には、貫通孔（６５）に引っ掛かる突起（７５）が設けられていることが好ましい。
【００６９】
この場合、突起（７５）を貫通孔（６５）に引っ掛ける簡単な作業で、外蓋（７）を内蓋（６）に対して着脱自在に装着することができる。
【００７０】
また、本発明の加熱調理器において、内蓋（６）は、内側連結片（６２）を、左右に距離をあけて一対備え、外蓋（７）は、弾性を有する外側連結片（７２）を、左右に距離をあけて一対備え、左右両側の外側連結片（７２）から、互いに近づく方向にむけて突起（７５）が突出していることが好ましい。
【００７１】
この場合、外蓋（７）を内蓋（６）に向けて押し込めば、突起（７５）が内側連結片（６２）の外側面（６２１）当たりながら、貫通孔（６５）に嵌る位置にまでガイドされる。そのため、外蓋（７）を内蓋（６）に対して簡単に装着することができる。このとき、一対の外側連結片（７２）は、一対の内側連結片（６２）を弾性的に挟持することになり、外蓋（７）は内蓋（６）に対して安定的に装着される。
【００７２】
また、本発明の加熱調理器において、左右一対の内側連結片（６２）から、互いに離れる方向にむけて周壁（６７）が突出し、周壁（６７）は、貫通孔（６５）の開口を囲んで位置し、且つ、周壁（６７）のうち少なくとも前側部分は、外側連結片（７２）を前方から挿入できるように切り欠かれていることが好ましい。
【００７３】
この場合、周壁（６７）の内面がガイド面として機能することによって、外側連結片（７２）の挿入がさらに円滑にガイドされ、且つ、フレーム（４）の内部に異物が侵入することが周壁（６７）によって抑えられる。
【００７４】
以上、本発明の加熱調理器について、一実施形態およびこれの変形例に基づいて説明したが、本発明の加熱調理器はこれらの形態に限定されず、各構成において適宜の設計変更を行うことが可能である。
【符号の説明】
【００７５】
１  調理器本体
２  加熱部
３０  操作部
３００  操作パネル
４  フレーム
４０  開口
５  支持構造
６  内蓋
６１  内蓋本体
６２  内側連結片
６７  周壁
６５  貫通孔
７  外蓋
７１  外蓋本体
７２  外側連結片
７５  突起
Ｐ１  第一位置
Ｐ２  第二位置
【図１】
2018185113.tif 000003
【図２】
2018185113.tif 000004
【図３】
2018185113.tif 000005
【図４】
2018185113.tif 000006
【図５】
2018185113.tif 000007
【図６】
2018185113.tif 000008
【図７】
2018185113.tif 000009
【図８】
2018185113.tif 000010
【図９】
2018185113.tif 000011
【図１０】
2018185113.tif 000012
【図１１】
2018185113.tif 000013